(57)【要約】【課題】建物内の空調を行う場合に種々の状況にかかわらず快適性を高めることができる空調照明システムを提供する。【解決手段】住宅１０は、玄関１１、廊下１２、リビング１３等を備えている。リビング１３には、空調装置２１と照明装置２２とが設けられ、照明装置２２は照射する光の色温度を調整する機能を有している。リビング１３には、リビング１３の温度を検知する室温センサ２３と、リビング１３にいる居住者の人体表面温度を監視するサーモカメラ２４とが設けられている。コントローラは、室温センサ２３からの検知結果と、サーモカメラ２４からの人体表面温度情報とに基づいて、空調装置２１と照明装置２２とを動作制御する。具体的には、空調装置２１が運転している状態で、室温センサ２３からの検知結果と、サーモカメラ２４からの人体表面温度情報とに基づいて、照明装置２２により照射される光の色温度を調整する。【選択図】図１
2011146137.tif 000002
【特許請求の範囲】
【請求項１】
建物内の環境に関する建物内環境情報を取得する建物内情報取得手段と、
建物内における人に関する人情報を取得する人情報取得手段と、
これら各情報取得手段により取得された建物内環境情報及び人情報に基づいて、建物内に設けられた空調装置及び照明装置を制御対象として動作制御を行う制御手段と、
を備えることを特徴とする空調照明システム。
【請求項２】
前記建物内情報取得手段は、建物内の温度を前記建物内環境情報として検知する建物内温検知手段を有し、
前記照明装置は、照射する光の色温度の調整が可能であり、
前記制御手段は、前記空調装置が運転されている状態で、前記建物内温検知手段により検知された建物内の温度に基づいて、前記照明装置から照射される光の色温度を調整することを特徴とする請求項１に記載の空調照明システム。
【請求項３】
前記人情報取得手段として、建物内における人の体温情報を前記人情報として取得する体温情報取得手段を備え、
前記照明装置は、照射する光の色温度の調整が可能であり、
前記制御手段は、前記空調装置が運転されている状態で、前記体温情報取得手段により取得された体温情報に基づいて、前記照明装置から照射される光の色温度を調整することを特徴とする請求項１又は２に記載の空調照明システム。
【請求項４】
前記空調装置が過渡運転を行っているか否かを判定する判定手段を備え、
前記制御手段は、前記判定手段により前記空調装置が過渡運転を行っていると判定された場合に、前記照明装置による光の照射を当該光の色が暖色系又は寒色系となる色温度で実施することを特徴とする請求項２又は３に記載の空調照明システム。
【請求項５】
前記空調装置の運転開始又は前記空調装置の設定温度の変更からの経過時間を計測する手段を備え、
前記判定手段は、前記計測された経過時間が所定時間以内である場合に、前記空調装置が過渡運転をしていると判定することを特徴とする請求項４に記載の空調照明システム。
【請求項６】
前記人情報取得手段として、建物内における人の体温情報を取得する体温情報取得手段を備え、
前記制御手段は、前記体温情報取得手段により取得された人の体温が所定の温度範囲にある場合には、前記判定手段による過渡運転か否かの判定結果にかかわらず前記照明装置による前記暖色系又は前記寒色系の色の光の照射を停止することを特徴とする請求項４又は５に記載の空調照明システム。
【請求項７】
前記建物内情報取得手段は、建物内の温度を前記建物内環境情報として検知する建物内温検知手段を有し、
前記制御手段は、前記判定手段により前記空調装置が過渡運転を行っていると判定された場合に、前記建物内温検知手段により検知された建物内の温度と前記空調装置の設定温度とに基づいて、前記照明装置により照射される光の色温度を調整することを特徴とする請求項４乃至６のいずれか一項に記載の空調照明システム。
【請求項８】
前記建物は、店舗として用いられており、
前記照明装置は、前記店舗内において複数箇所に設けられており、
前記空調装置は、前記店舗内の複数箇所に設けられるとともに温度調整された空調エアを吹き出す吹出部と、前記各吹出部から吹き出す空調エアの流量を個別に調整する調整手段とを備え、
前記人情報取得手段は、前記店舗内における人の位置を検出する位置検出手段を有し、
前記制御手段は、前記位置検出手段により検出された人の位置に基づいて、前記各照明装置及び前記調整手段を制御することを特徴とする請求項１乃至７のいずれか一項に記載の空調照明システム。
【請求項９】
前記店舗には、当該店舗に設けられた商品棚に対して光を照射する棚照射手段が設けられており、
前記制御手段は、前記位置検出手段により検出された人の位置に基づいて、前記検出された人の周辺に設けられた商品棚に対し前記棚照射手段による光の照射を実施することを特徴とする請求項８に記載の空調照明システム。
【発明の詳細な説明】
【技術分野】
【０００１】
本発明は、空調照明システムに関する。
【背景技術】
【０００２】
従来より、建物内に設置された空調装置及び照明装置を制御対象として動作制御を行う空調照明システムが知られている（例えば特許文献１）。この種のシステムでは、建物内の環境情報を取得して、その取得した環境情報に基づいて各装置を動作させるのが一般的である。例えば、建物内の温度情報を取得しその取得した温度情報に基づいて空調装置を制御したり、建物内の照度情報を取得しその取得した照度情報に基づいて照明装置を制御したりする。より具体的には、建物内の温度又は照度があらかじめ設定された設定値（目標値）と同じになるように各装置が動作制御される。この場合、建物内を適切な温度や照度に管理することができるため、建物内を快適な空間とすることができる。また、建物内の温度が目標温度に達した場合には空調装置の運転を停止させたり、建物内に日が射し込み建物内が明るくなった場合には照明装置を消灯させたりすることができるため、無駄にエネルギを消費することを回避することもできる。
【先行技術文献】
【特許文献】
【０００３】
【特許文献１】特開２００９−２６５９７２号公報
【発明の概要】
【発明が解決しようとする課題】
【０００４】
ところで、空調装置が運転されて暖房又は冷房が行われている場合でも、建物内における人の快適さ（快不快）の感じ方は種々の状況によって異なることが考えられる。例えば、建物内の温度が空調装置の設定温度に達している場合には快適であると感じたり、建物内の温度が空調装置の設定温度から乖離している場合には暑い又は寒いと感じたりする。また、建物内の温度が空調装置の設定温度に達している場合でも、人によっては快適な温度であると感じたり暑い又は寒いと感じたりすると思われる。したがって、従来の空調照明システムは快適性を得る上で更なる改善の余地があるといえる。
【０００５】
本発明は、上記事情に鑑みてなされたものであり、建物内の空調を行う場合に種々の状況にかかわらず快適性を高めることができる空調照明システムを提供することを主たる目的とするものである。
【課題を解決するための手段】
【０００６】
上記課題を解決すべく、第１の発明の空調照明システムは、建物内の環境に関する建物内環境情報を取得する建物内情報取得手段と、建物内における人に関する人情報を取得する人情報取得手段と、これら各情報取得手段により取得された建物内環境情報及び人情報に基づいて、建物内に設けられた空調装置及び照明装置を制御対象として動作制御を行う制御手段と、を備えることを特徴とする。
【０００７】
本発明によれば、建物内環境情報と人情報とに基づいて、空調装置及び照明装置の動作制御が行われる。したがって、例えば空調装置が運転している状況下で、建物内の温度情報に基づいて照明装置を動作制御することができる。この場合、建物内が低温である場合に照明装置を動作させることで、空調装置の暖房運転を開始した直後でも照明装置の光により人の寒さを和らげる等することができる。また、空調装置が運転している状況下で、例えば建物内における人の有無に関する情報に基づいて照明装置を動作制御することができる。この場合、人が建物内に入った場合に照明装置を動作させることで、冬場に帰宅した直後でも照明装置の光により暖かさを感じさせる等することができる。よって、以上より、建物内の空調を行う場合に種々の状況にかかわらず快適性を高めることができる。
【０００８】
第２の発明の空調照明システムは、第１の発明において、前記建物内情報取得手段は、建物内の温度を前記建物内環境情報として検知する建物内温検知手段を有し、前記照明装置は、照射する光の色温度の調整が可能であり、前記制御手段は、前記空調装置が運転されている状態で、前記建物内温検知手段により検知された建物内の温度に基づいて、前記照明装置から照射される光の色温度を調整することを特徴とする。
【０００９】
本発明によれば、空調装置が運転されている状態において、建物内の温度に基づいて照明装置から照射される光の色温度が調整される。したがって、例えば建物内の温度が高い場合には、光の色温度を高くすることで建物内の人に涼しさを感じさせたり、建物内の温度が低い場合には、色温度を低くすることで建物内の人に暖かさを感じさせたりすることができる。これにより、空調装置と照明装置との相乗効果により快適性の向上を図ることができる。また、照明装置が快適性の向上に寄与することで空調装置の負荷軽減を図ることができるため、省エネ効果を期待することもできる。
【００１０】
第３の発明の空調照明システムは、第１又は第２の発明において、前記人情報取得手段として、建物内における人の体温情報を前記人情報として取得する体温情報取得手段を備え、前記照明装置は、照射する光の色温度の調整が可能であり、前記制御手段は、前記空調装置が運転されている状態で、前記体温情報取得手段により取得された体温情報に基づいて、前記照明装置から照射される光の色温度を調整することを特徴とする。
【００１１】
本発明によれば、空調装置が運転されている状態において、建物内における人の体温情報に基づいて照明装置から照射される光の色温度が調整される。したがって、例えば人の体温が高く人が暑さを感じている場合には、光の色温度を高くすることで涼しさを感じさせたり、人の体温が低く人が寒さを感じている場合には、光の色温度を低くすることで暖かさを感じさせたりすることができる。つまり、この場合人の暑さや寒さに対する感覚に基づいて色温度が調整されるため、快適性を高めることができる。
【００１２】
第４の発明の空調照明システムは、第２又は第３の発明において、前記空調装置が定常運転を行っているか又は過渡運転を行っているかを判定する判定手段を備え、前記制御手段は、前記判定手段により前記空調装置が過渡運転を行っていると判定された場合に、前記照明装置による光の照射を前記調整された色温度で実施することを特徴とする。
【００１３】
例えば空調装置の運転を開始した場合、建物内の温度が目標温度になるまでには所定の時間を要する。そのため、空調装置の運転開始当初は、暑さを感じたり寒さを感じたりすることが想定される。その点、本発明によれば、空調装置が運転開始直後等において過渡運転をしている場合には、照明装置により暖色系又は寒色系の色の光が照射されるため、例えば帰宅した直後でも暑さや寒さを和らげることができ、快適性を得ることができる。
【００１４】
第５の発明の空調照明システムは、第４の発明において、前記空調装置の運転開始又は前記空調装置の設定温度の変更からの経過時間を計測する手段を備え、前記判定手段は、前記計測された経過時間が所定時間以内である場合に、前記空調装置が過渡運転をしていると判定することを特徴とする。
【００１５】
本発明によれば、空調装置の運転開始又は空調装置の設定温度の変更から所定時間が経過するまでは、照明装置により暖色系又は寒色系の色の光が照射される。そのため、例えば帰宅して空調装置の運転が開始された直後でも暑さや寒さを和らげることができ、快適性を得ることができる。
【００１６】
第６の発明の空調照明システムは、第４又は第５の発明において、前記人情報取得手段として、建物内における人の体温情報を取得する体温情報取得手段を備え、前記制御手段は、前記体温情報取得手段により取得された人の体温が所定の温度範囲にある場合には、前記判定手段による過渡運転か否かの判定結果にかかわらず前記照明装置による前記暖色系又は前記寒色系の色の光の照射を停止することを特徴とする。
【００１７】
本発明によれば、建物内における人の体温が所定の温度範囲にある場合には、つまり人が快適さを感じている場合には、空調装置が過渡運転をしているか否かにかかわらず照明装置による暖色系又は寒色系の色の光の照射が停止される。これにより、人が快適さを感じているにもかかわらず照明装置から暖色系又は寒色系の色の光が照射されることで、かえって人に不快感を与えるのを回避することができる。
【００１８】
第７の発明の空調照明システムは、第４乃至第６のいずれかの発明において、前記建物内情報取得手段は、建物内の温度を前記建物内環境情報として検知する建物内温検知手段を有し、前記制御手段は、前記判定手段により前記空調装置が過渡運転を行っていると判定された場合に、前記建物内温検知手段により検知された建物内の温度と前記空調装置の設定温度とに基づいて、前記照明装置により照射される光の色温度を調整することを特徴とする。
【００１９】
本発明によれば、空調装置が過渡運転を行っている場合には、建物内の温度と空調装置の設定温度とに基づいて、照明装置により照射される光の色温度が調整される。したがって、例えば、夏場に帰宅した直後等、建物内の温度が空調装置の設定温度に対し著しく高くなっている場合には、より色温度の高い光を照射することで、暑さを和らげる効果を高めたり、空調装置の運転が開始されてから所定時間が経過した後等、建物内の温度が空調装置の設定温度に近づいた場合には光の色温度を低くすることで、暑さを和らげる効果を抑えたりすることができる。これにより、建物内の温度に応じて適切な色温度の光を照射することができるため、空調装置の過渡運転時において快適性をより一層高めることができる。
【００２０】
第８の発明の空調照明システムは、第１乃至第７のいずれかの発明において、前記建物は、店舗として用いられており、前記照明装置は、前記店舗内において複数箇所に設けられており、前記空調装置は、前記店舗内の複数箇所に設けられるとともに温度調整された空調エアを吹き出す吹出部と、前記各吹出部から吹き出す空調エアの流量を個別に調整する調整手段とを備え、前記人情報取得手段は、前記店舗内における人の位置を検出する位置検出手段を有し、前記制御手段は、前記位置検出手段により検出された人の位置に基づいて、前記各照明装置及び前記調整手段を制御することを特徴とする。
【００２１】
本発明によれば、店舗内における顧客の位置に基づいて、各照明装置及び調整手段が制御される。したがって、例えば顧客の周辺に設けられた吹出部のみから空調エアを吹き出すことで顧客の周辺を局所的に空調したり、顧客の周辺に設けられた照明装置のみから光を照射することで顧客の周辺を局所的に照らしたりすることができる。これにより、顧客の快適性を損なうことなく省エネを図ることができる。
【００２２】
第９の発明の空調照明システムは、第８の発明において、前記店舗には、当該店舗に設けられた商品棚に対して光を照射する棚照射手段が設けられており、前記制御手段は、前記位置検出手段により検出された人の位置に基づいて、前記検出された人の周辺に設けられた商品棚に対し前記棚照射手段による光の照射を実施することを特徴とする。
【００２３】
本発明によれば、店舗にいる顧客の周辺に設けられた商品棚に対して棚照射手段により光が照射されるため、顧客の近くに置かれている商品の視認性を高めることができる。これにより、顧客に商品の購入を促すことができる。
【図面の簡単な説明】
【００２４】
【図１】第１の実施形態における住宅の間取りを示す平面図。
【図２】空調照明システムを示す全体構成図。
【図３】空調照明制御処理を示すフローチャート。
【図４】空調照明システムによる一連の作用を示すタイムチャート。
【図５】第２の実施形態における店舗の間取りを示す平面図。
【図６】空調照明システムを示す全体構成図。
【図７】空調照明制御処理を示すフローチャート。
【図８】別例における店舗の構成を示す図。
【発明を実施するための形態】
【００２５】
〔第１の実施形態〕
以下に、本発明を具体化した一実施の形態について図面を参照しつつ説明する。本実施形態は、住宅に対して本発明の空調照明システムを適用したものである。なお、図１は、住宅の間取りを示す平面図である。
【００２６】
図１に示すように、住宅１０は、主なスペースとして玄関１１、廊下１２、リビング１３、キッチン１４、寝室１５、トイレ１６及び浴室１７等を備えている。
【００２７】
リビング１３には、空調装置２１（いわゆるエアコン）が設けられている。空調装置２１は、リビング１３内に温度調整された風を送ることで、リビング１３の温度をあらかじめ設定された設定温度に調整する装置である。空調装置２１は、例えばリビング１３の内壁面に設けられている。また、空調装置２１は、同空調装置２１より吹き出す風の向きを調整する風向き調整機能を有している。
【００２８】
リビング１３には、照明装置２２が設けられている。照明装置２２は、リビング１３に光を照射するための装置であり、例えばリビング１３の天井面に設けられている。照明装置２２は、照射する光の色温度を調整する色温度調整機能を有しており、例えば発光色の異なる複数のＬＥＤ（ＲＧＢランプ等）により構成されている。
【００２９】
リビング１３には、建物内情報取得手段及び建物内温検知手段としての室温センサ２３が設けられている。室温センサ２３は、リビング１３の温度を検知するセンサであり、例えばリビング１３の内壁面に設けられている。
【００３０】
リビング１３には、人情報取得手段及び体温情報取得手段としてのサーモカメラ２４が設けられている。サーモカメラ２４は、人から放出される赤外線を感知することにより人体表面温度を検出する構成となっており、リビング１３にいる居住者の人体表面温度（人情報及び体温情報に相当）を監視するとともに居住者がリビング１３においてどの位置にいるのかを監視する。サーモカメラ２４は、例えばリビング１３の天井面に設けられている。
【００３１】
寝室１５には、人情報取得手段としての生体センサ２５が設けられている。生体センサ２５は、居住者の体調を検知するセンサであり、詳細には咳やくしゃみの回数、発汗量等を検知する。生体センサ２５は、例えばベッドのマットレスや枕内に設けられている。
【００３２】
住宅１０には、本空調照明システムを統括管理するホームサーバ３０が設けられている。ホームサーバ３０は、例えばリビング１３の内壁面に設けられている。以下では、このホームサーバ３０を中心とする本空調照明システムの電気的構成について図２に基づいて説明する。なお、図２は空調照明システムを示す全体構成図である。
【００３３】
図２に示すように、ホームサーバ３０は、制御手段としてのコントローラ３１と、ユーザにより操作される操作部３２とを備えており、コントローラ３１の入力側に操作部３２が接続されている。コントローラ３１は、本システムにおいて空調装置２１及び照明装置２２の動作制御を行うものであり、ＣＰＵ等を有する周知のマイクロコンピュータを有して構成されている。コントローラ３１は、空調装置２１の設定温度や居住者の体調情報等を記憶する記憶部３１ａを有している。
【００３４】
操作部３２には、本システムにおける各種操作を行うための操作ボタンが設けられている。操作ボタンとしては、本システムの制御処理を開始させる開始ボタンや同処理を終了させる終了ボタン、空調装置２１の設定温度を入力するための設定温度入力ボタン等が設けられている。ここで、操作部３２の設定入力ボタンにより空調装置２１の設定温度が入力されると、その入力された設定温度がコントローラ３１に入力され、コントローラ３１はその設定温度を記憶部３１ａに記憶する。
【００３５】
コントローラ３１の入力側には、室温センサ２３が接続されている。コントローラ３１には、室温センサ２３から逐次検知結果が入力される。
【００３６】
コントローラ３１の入力側には、サーモカメラ２４が接続されている。コントローラ３１には、サーモカメラ２４から逐次リビング１３にいる居住者の人体表面温度情報及び位置情報が入力される。
【００３７】
コントローラ３１の入力側には、生体センサ２５が接続されている。コントローラ３１には、生体センサ２５から居住者の体調情報が入力される。コントローラ３１は、体調情報が入力されると、同情報を記憶部３１ａに記憶する。
【００３８】
コントローラ３１の出力側には、空調装置２１及び照明装置２２が接続されている。コントローラ３１は、室温センサ２３からの検知結果と、サーモカメラ２４からの人体表面温度情報及び位置情報と、記憶部３１ａに記憶されている体調情報とに基づいて、空調装置２１及び照明装置２２に指令信号を出力し、これら各装置２１，２２を動作制御する。
【００３９】
次に、コントローラ３１によって実行される空調照明制御処理について図３に示すフローチャートに基づいて説明する。本制御処理は、居住者による操作部３２の開始ボタンの操作をトリガとして開始され、終了ボタンが操作されるまで所定の周期で繰り返し実行される。
【００４０】
まず、ステップＳ１１において、空調装置２１に対して運転信号を出力する。この際、記憶部３１ａに予め記憶されている設定温度情報と、室温センサ２３からの検知結果（リビング１３の温度）とに基づいて空調制御信号を生成し、その空調制御信号を併せて空調装置２１に出力する。これにより、空調装置２１の運転が実行され、空調装置２１はリビング１３の温度が設定温度となるように運転を行う。なお、このときすでに空調装置２１の運転が行われている場合には、そのまま運転を継続する。
【００４１】
ステップＳ１２では、記憶部３１ａに記憶されている居住者の体調情報に基づいて、居住者の体調が悪いか否かを、例えば居住者が風邪をひいているか否かを判定する。この判定は、例えば居住者のくしゃみや咳の回数に基づいて行う。具体的には、くしゃみや咳の回数が所定の回数（健康時における回数）よりも多い場合には、風邪をひいていると判定し、所定の回数以下の場合には風邪をひいていないと判定する。居住者が風邪をひいていない場合には、ステップＳ１５に進む。居住者が風邪をひいている場合には、ステップＳ１３に進み、サーモカメラ２４からの位置情報に基づいて、リビング１３における居住者の位置情報を取得する。その後、ステップＳ１４に進む。
【００４２】
ステップＳ１４では、ステップＳ１３において取得した居住者の位置情報に基づいて、空調装置２１の風向きを調整する。具体的には、空調装置２１から吹き出される風が居住者に当たらないように風向き調整を行う。これにより、居住者が風邪をひいている場合には、空調装置２１からの風が居住者に直接当たるのを回避することができる。その後、ステップＳ１５に進む。
【００４３】
ステップＳ１５では、サーモカメラ２４からの人体表面温度情報に基づいて、リビング１３にいる居住者の人体表面温度が基準表面温度の許容範囲内であるか否かを判定する。ここでは、例えば居住者の手の表面温度が基準表面温度の許容範囲内であるか否かを判定する。ここで、基準表面温度は、例えば３４．０℃に設定されており、基準表面温度の許容範囲は例えば３４．０±０．５℃（３３．５〜３４．５℃）に設定されている。居住者の人体表面温度が基準表面温度の許容範囲外である（３３．５℃よりも低い又は３４．５℃よりも高い）場合には、リビング１３にいる居住者が暑さや寒さを感じているとみなし、ステップＳ１６に進む。
【００４４】
ステップＳ１６では、室温センサ２３からの検知結果と、記憶部３１ａに記憶されている空調装置２１の設定温度とに基づいて、リビング１３の温度と空調装置２１の設定温度との温度差ΔＴ１（ΔＴ１＝リビング１３の温度−空調装置２１の設定温度）を算出する。続くステップＳ１７では、その算出した温度差ΔＴ１に基づいて、空調装置２１が過渡運転をしているか又は定常運転をしているかを判定する。この判定は、算出した温度差ΔＴ１が所定の範囲内であるか否かに基づいて行う。ここで、所定の範囲内は、例えば±２℃に設定されている。算出した温度差ΔＴ１が所定の範囲内にない場合、つまりリビング１３の温度が空調装置２１の設定温度に対して大きく乖離している場合には、空調装置２１が過渡運転をしていると判定し、ステップＳ１８に進む。一方、算出した温度差ΔＴ１が所定の範囲内にある場合、つまりリビング１３の温度が空調装置２１の設定温度とほぼ同じである場合には、空調装置２１が定常運転をしていると判定し、ステップＳ２０に進む。
【００４５】
空調装置２１が過渡運転をしていると判定された後のステップＳ１８では、ステップＳ１６において算出された温度差ΔＴ１に基づいて、照明装置２２より照射する光の色温度を設定する。例えば、夏場に空調装置２１が冷房運転を開始した直後等リビング１３の温度が空調装置２１の設定温度よりも高い場合、つまり上記の温度差ΔＴ１が正の値となる場合には、色温度を高く設定する。換言すれば、照明装置２２より照射される光の色が青色等寒色系の色となるように色温度を設定する。一方、冬場に空調装置２１が暖房運転を開始した直後等リビング１３の温度が空調装置２１の設定温度よりも低い場合、つまり上記の温度差ΔＴ１が負の値となる場合には、色温度を低く設定する。換言すれば、照明装置２２より照射される光の色が赤色等暖色系の色となるように色温度を設定する。
【００４６】
また、具体的には、本ステップでは算出された温度差ΔＴ１が大きいほど色温度を高くするように設定する。例えば、夏場において空調装置２１が冷房運転を開始した直後等温度差ΔＴ１が大きい場合には、色温度を比較的高く設定する。換言すれば、照明装置２２より照射される光の色が比較的濃い青色となるように色温度を設定する。また、空調装置２１が冷房運転を開始してから所定の時間が経過した後等温度差ΔＴ１が小さくなった場合には、色温度を比較的低く設定する。換言すれば、照明装置２２より照射される光の色が比較的淡い青色となるように色温度を設定する。その後、ステップＳ１９に進む。
【００４７】
一方、空調装置２１が定常運転をしていると判定された後のステップＳ２０では、サーモカメラ２４からの人体表面温度情報に基づいて、リビング１３にいる居住者の人体表面温度と基準表面温度との温度差ΔＴ２（ΔＴ２＝居住者の人体表面温度−基準表面温度）を算出する。続くステップＳ２１では、その算出された温度差Δ２に基づいて、照明装置２２より照射する光の色温度を設定する。本ステップでは、例えばリビング１３にいる居住者の人体表面温度が基準表面温度の許容範囲よりも高い場合には、色温度を高く設定する。換言すれば、照明装置２２より照射される光の色が青色等寒色系の色となるように色温度を設定する。一方、リビング１３にいる居住者の人体表面温度が基準表面温度の許容範囲よりも低い場合には、色温度を低く設定する。換言すれば、照明装置２２より照射される光の色が赤色等暖色系の色となるように色温度を設定する。
【００４８】
具体的には、本ステップでは算出された温度差ΔＴ２が大きいほど色温度を高くするように設定する。例えば、リビング１３にいる居住者の人体表面温度が基準表面温度の許容範囲よりも著しく高い場合には、色温度を高く設定する。換言すれば、照明装置２２より照射される光の色が比較的濃い青色となるように色温度を設定する。また、居住者の人体表面温度が基準表面温度に対して少しだけ高い場合には、色温度を比較的低く設定する。換言すれば、照明装置２２より照射される光の色が比較的淡い青色となるように色温度を設定する。その後、ステップＳ１９に進む。
【００４９】
先のステップＳ１５において、リビング１３にいる居住者の人体表面温度が基準表面温度の許容範囲内（３３．５℃〜３４．５℃）にある場合には、居住者が快適さを感じているとみなし、ステップＳ２２に進む。ステップＳ２２では、照明装置２２より照射する光の色温度を通常の蛍光色に設定する。例えば、照明装置２２より白色光が照射されるように色温度を設定する。なお、このときすでに照明装置２２により通常の蛍光色で照明処理が行われている場合には、その設定状態を継続する。その後、ステップＳ１９に進む。
【００５０】
ステップＳ１９では、照明処理を実行する。照明処理では、ステップＳ１８、ステップＳ２１又はステップＳ２２で設定された色温度に応じて照明信号を調整し、その調整した照明信号を照明装置２２に出力する。これにより、上記ステップＳ１８，Ｓ２１，Ｓ２１で設定された色温度の光が照明装置２２より照射される。したがって、例えばリビング１３にいる居住者が暑さを感じている場合には、照明装置２２より青色等寒色系の色の光が照射され、居住者に涼しげな感じを与えることができる。また、リビング１３にいる居住者が寒さを感じている場合には、赤色等暖色系の色の光が照射され、居住者に暖かな感じを与えることができる。一方、リビング１３にいる居住者が快適さを感じている場合には、白色光等蛍光色の光が照射され、通常の室内照明が行われる。その後、本処理を終了する。
【００５１】
次に、本空調照明システムにより空調照明制御処理が行われる場合の作用について図４に基づいて説明する。ここでは、冬場に居住者が帰宅してリビング１３に入り、操作部３２の開始ボタンを操作することで本空調照明システムの制御を開始した場合における一連の作用を説明する。なお、図４は、空調照明システムによる一連の作用を示すタイムチャートである。
【００５２】
図４に示すように、まずタイミングｔ１にて、リビング１３に入った居住者により操作部３２の開始ボタンが操作され本制御処理が開始される。これにより、空調装置２１の運転が開始され、空調装置２１による暖房運転が行われる。このタイミングｔ１では、リビング１３が冷え込んでいるため、リビング１３の温度が空調装置２１の設定温度から大きく乖離しており、そのため空調装置２１により過渡運転が行われる。また、このタイミングｔ１では照明装置２２により低い色温度の光が、つまり暖色系の色の光が照射される。具体的には、この帰宅直後のタイミングｔ１では、上述したように、リビング１３の温度が空調装置２１の設定温度よりも著しく低くなっている（つまり上記温度差ΔＴ１が著しく小さくなっている）ためより色温度の低い光が、例えば赤系の色の光が照射される。したがって、空調装置２１の暖房運転によりリビング１３がまだ暖まってない帰宅直後においても、居住者に対して照明装置２２による赤系の色の光により暖かな感じを与えることができる。
【００５３】
その後、時間の経過に従ってリビング１３の温度が上昇していき、それに伴って居住者の人体表面温度も上昇していく。また、このとき、リビング１３の温度上昇に伴って照明装置２２により照射される光の色温度が低下していく。つまり、照明装置２２により照射される光の色が例えば赤系の色からオレンジ系の色へと変化していく。これにより、リビング１３の温度に応じて適切な色温度の光が照明装置２２より照射されるため、照射される光によって居住者が暑く感じたり寒く感じたりするのを抑制することができる。
【００５４】
その後タイミングｔ２にて、居住者の人体表面温度が基準表面温度の許容範囲内まで上昇する。これにより、照明装置２２より照射される光の色が蛍光色に切り替わる。つまり、このタイミングｔ２において、リビング１３では通常の室内照明が開始される。したがって、居住者が快適さを感じているにもかかわらず赤系の色の光が照射されることで、かえって居住者に不快感を感じさせることを回避することができる。
【００５５】
その後タイミングｔ３にて、リビング１３の温度が空調装置２１の設定温度に達する。これにより、空調装置２１は過渡運転から定常運転に移行する。
【００５６】
その後、タイミングｔ４にて、居住者はトイレ１６に行くためにリビング１３から退出する。ここで、本実施形態の住宅１０には、リビング１３以外の場所に空調装置２１が設置されていないことを想定している。そのため、リビング１３から退出した居住者は時間の経過とともに人体表面温度が低下していき、やがて人体表面温度が基準表面温度の許容範囲を下回る。
【００５７】
なお、サーモカメラ２４は、リビング１３にいる居住者を対象としてその人体表面温度を検知するものであるため、リビング１３から退出した居住者の人体表面温度を検知することができない。そのため、図４では、居住者がリビング１３から退出している場合の人体表面温度を破線で示している。
【００５８】
その後、タイミングｔ５にて、居住者がトイレ１６から戻りリビング１３に入室する。このとき、居住者の人体表面温度は基準表面温度の許容範囲よりも低下している（つまり上記温度差Δ２が小さくなっている）ため、照明装置２２により低い色温度の光が、つまり暖色系の色の光が照射される。具体的には、この入室した直後のタイミングｔ５では、居住者の人体表面温度が基準表面温度の許容範囲よりも著しく低下しているため、より色温度の低い光が、例えば赤系の色の光が照射される。
【００５９】
その後、時間の経過とともに居住者の人体表面温度は上昇していく。そして、タイミングｔ６において居住者の人体表面温度が基準表面温度の許容範囲内まで上昇すると、照明装置２２より照射される光の色が蛍光色に切り替わる。つまり、このタイミングｔ６において、通常の室内照明が再び開始される。タイミングｔ６以降は、空調装置２１による定常運転が継続され、リビング１３内の居住者の人体表面温度が基準表面温度の許容範囲内に保持される。これにより、居住者はリビング１３において快適に過ごすことができる。
【００６０】
以上、詳述した本実施形態の構成によれば、以下の優れた効果が得られる。
【００６１】
室温センサ２３からの検知結果と、サーモカメラ２４からの人体表面温度情報とに基づいて、空調装置２１及び照明装置２２を動作制御するようにした。具体的には、空調装置２１が運転している状態において、リビング１３の温度と居住者の人体表面温度とに基づいて、照明装置２２を動作制御することとした。したがって、例えばリビング１３の温度が空調装置２１の設定温度よりも著しく高い場合等に、照明装置２２より色温度の高い光を照射することで、帰宅した直後で暑さを感じている居住者に涼しさを感じさせることができる。また、居住者の人体表面温度が基準表面温度の許容範囲よりも低下している場合に、照明装置２２により色温度の低い光を照射することで、リビング１３の温度が空調装置２１の設定温度に達しているにもかかわらず寒さを感じている居住者に暖かさを感じさせることができる。よって、以上より、リビング１３の空調を行う場合に種々の状況にかかわらず快適性を高めることができる。
【００６２】
室温センサ２３により検知されたリビング１３の温度に基づいて、照明装置２２から照射される光の色温度を調整するようにした。これにより、例えばリビング１３の温度が高い場合には、光の色温度を高くすることでリビング１３にいる人に涼しさを感じさせたり、リビング１３の温度が低い場合には、色温度を低くすることでリビング１３にいる人に暖かさを感じさせたりすることができる。これにより、空調装置２１と照明装置２２との相乗効果により快適性の向上を図ることができる。また、照明装置２２が快適性の向上に寄与することで空調装置２１の負荷軽減を図ることができるため、省エネ効果を期待することもできる。
【００６３】
サーモカメラ２４から取得したリビング１３における居住者の人体表面温度情報に基づいて、照明装置２２から照射される光の色温度を調整するようにした。これにより、例えば人の人体表面温度が高く人が暑さを感じている場合には、光の色温度を高くすることで涼しさを感じさせたり、人の人体表面温度が低く人が寒さを感じている場合には、光の色温度を低くすることで暖かさを感じさせたりすることができる。つまり、この場合人の暑さや寒さに対する感覚に基づいて色温度が調整されるため、快適性を高めることができる。
【００６４】
空調装置２１が過渡運転をしていると判定された場合には、照明装置２２により暖色系又は寒色系の色の光の照射を実行することとした。これにより、空調装置２１の運転を開始して間もない居住者の帰宅直後等、リビング１３の温度が設定温度に達していない場合でも照明装置２２から照射される暖色系又は寒色系の色の光によって暑さや寒さを和らげることができ、快適性を得ることができる。また、空調装置２１の運転開始直後一時的に空調装置２１の運転負荷を高めることで、リビング１３の温度を短時間で設定温度にすることも可能であるが、その場合エネルギの使用量が増大するため好ましくない。その点、上記構成によれば、かかる使用エネルギの増大を伴うことなく帰宅直後において快適性を得ることができる。
【００６５】
リビング１３にいる居住者の人体表面温度が基準表面温度の許容範囲内にある場合には、空調装置２１が過渡運転をしているか否かにかかわらず照明装置２２による暖色系又は寒色系の色の光の照射を停止するようにした。これにより、居住者が快適さを感じているにもかかわらず照明装置２２から暖色系又は寒色系の色の光が照射されることでかえって居住者に不快感を与えることを回避することができる。
【００６６】
空調装置２１が過渡運転をしていると判定された場合には、リビング１３の温度と空調装置２１の設定温度との温度差ΔＴ２に基づいて、照明装置２２から照射される光の色温度を調整した。具体的には、上記温度差ΔＴ２が大きいほど色温度を大きくするよう調整した。これにより、例えば夏場に帰宅した直後等、リビング１３の温度が空調装置２１の設定温度に対し著しく高くなっている場合には、より色温度の高い光を照射することで暑さを和らげる効果を高めたり、帰宅してから所定時間が経過した後等リビング１３の温度が空調装置２１の設定温度に近づいた場合には光の色温度を低くすることで、暑さを和らげる効果を抑えたりすることができる。これにより、リビング１３の温度に応じて適切な色温度の光を照射することができるため、空調装置２１の過渡運転時における快適性をより一層高めることができる。
【００６７】
また、このように温度差ΔＴ２に基づいて照明装置２２より照射される光の色温度を調整することで、時間の経過にしたがって色温度を徐々に変化させることができる。そのため、居住者に光の色の変化を気づかせないようにすることができるため、急激な色の変化により居住者に違和感を与えるのを防止することができる。
【００６８】
生体センサ２５からの検知結果に基づいて、居住者が風邪をひいていることを判定した場合には、リビング１３における当該居住者の位置情報に基づいて、空調装置２１の風向きを調整するようにした。具体的には、空調装置２１から吹き出される風が居住者に当たらないように風向き調整を行うようにした。これにより、風邪をひいている居住者に空調装置２１からの風が直接当たるのを回避できるため、空調装置２１の風によって風邪が悪化する等の事態を抑制することができる。
【００６９】
〔第２の実施形態〕
上記第１の実施形態では、住宅１０に対して本発明の空調照明システムを適用した場合を説明したが、本実施形態では店舗に対して本発明の空調照明システムを適用した場合について説明する。なお、本実施形態では店舗としてコンビニ（コンビニエンスストア）を想定している。図５は、店舗内を示す平面図である。
【００７０】
図５に示すように、店舗４０には、店舗４０内への出入りを行うための出入口４１が設けられ、出入口４１には当該出入口４１を開閉する自動ドア４２が設けられている。店舗４０において出入口４１の周辺には、店員が顧客に対して接客を行うためのカウンタ４３が設けられ、カウンタ４３とは反対側には（出入口４１から離れた側）店員の休憩所４５やトイレ４６等が設けられている。
【００７１】
店舗４０には、商品を陳列するための商品棚４８が設けられている。商品棚４８は、店舗４０内において複数列設けられている（詳細にはカウンタ４３と対向する位置にも設けられている）。店舗４０において、これら各商品棚４８が設けられていないスペースは顧客（又は店員）が店舗４０内を移動するための通路領域４９となっている。
【００７２】
本実施形態では、空調照明システムにより空調照明処理を行う上で便宜上、店舗４０内の通路領域４９が複数（図５では８つ）のエリアＲ１〜Ｒ８に区画されている。なお、ここでいう区画とは本システムの構成上想定された区画をいい、必ずしも境界物等によって視覚的に区画されることをいうわけではない。また、各領域は、その境界を単純化すべく直線状の境界線によって区画されている。
【００７３】
店舗４０には、店舗４０内にいる顧客を監視する監視カメラ５１が設けられている。監視カメラ５１は、店舗４０内の各エリアＲ１〜Ｒ８にそれぞれ設置されており、設置されたエリアＲ１〜Ｒ８を監視対象として顧客を監視する。各監視カメラ５１は、例えば各々のエリアＲ１〜Ｒ８の天井に設置されている。
【００７４】
店舗４０には、その天井面に複数の吹出グリル５３が設けられている。各吹出グリル５３は、天井裏等に設置された空調機（図示略）とそれぞれダクトを介して接続されており、空調機から各々のダクトを介して供給される空調エアを店舗４０内に吹き出す。各吹出グリル５３は、店舗４０の各エリアＲ１〜Ｒ８にそれぞれ設置されており、少なくともその設置されたエリアＲ１〜Ｒ８を空調対象として空調エアを吹き出す。
【００７５】
吹出グリル５３は、同吹出グリル５３より吹き出す空調エアの風量を調整可能となっている。具体的には、吹出グリル５３は、その吹出口の開口面積を調整するための開口調整部（図示略）を備えている。開口調整部は、複数のフィンを備えてなるルーバよりなり、これら各フィンが回動して角度を変えることで吹出口の開口面積が大小調整されるようになっている。そして、開口部の開口面積が調整されることで、吹出グリル５３より吹き出す空調エアの風量が調整される構成となっている。なお、本実施形態では、例えば空調エアの風量を「強」「弱」２段階に調整できるようになっている。また、吹出グリル５３には、開口調整部の各フィンを回動駆動するためのグリル駆動部５４（図６参照）が設けられている。グリル駆動部５４は、周知の電動モータよりなる。
【００７６】
店舗４０には、店舗４０内を照らすための照明装置５６が設けられている。照明装置５６は、例えば蛍光灯や白熱灯等からなり、調光可能とされている。詳細には、本照明装置５６は、「大」「小」２段階に光量（換言すれば明るさ）を調整できるようになっている。照明装置５６は、店舗４０内の各エリアＲ１〜Ｒ８にそれぞれ設けられており、設置されたエリアＲ１〜Ｒ８を対象として光を照射する。なお、各照明装置５６は、例えば各々のエリアＲ１〜Ｒ８の天井面に設置されている。
【００７７】
店舗４０には、商品棚４８に対して光を照射するための棚用照明装置５８が設けられている。棚用照明装置５８は、指向性に優れたＬＥＤにより構成されている。また、本棚用照明装置５８は、光を照射する向きを調整できるようになっている。棚用照明装置５８は、店舗４０内の各エリアＲ１〜Ｒ８にそれぞれ設置されており、設置されたエリアＲ１〜Ｒ８に面した商品棚４８を照射対象として光を照射する。
【００７８】
また、店舗４０には、各エリアＲ１〜Ｒ８に設けられた上記各機器５１,５４,５６,５８の他に、出入口４１の周辺に出入口照明装置５９と温度センサ６１とが設けられている。出入口照明装置５９は、店舗４０内における出入口４１周辺を照らすものであり、例えば出入口４１周辺の天井面に設置されている。出入口照明装置５９は、照射する光の色温度が調整可能とされており、例えば発光色の異なる複数のＬＥＤ（ＲＧＢランプ等）により構成されている。また、温度センサ６１は、出入口４１周辺の温度を検知するセンサであり、例えば出入口４１周辺の内壁面に設けられている。
【００７９】
次に、本空調照明システムの電気的構成について図６に基づいて説明する。なお、図６は空調照明システムを示す全体構成図である。
【００８０】
店舗４０には、制御手段としてのコントローラ６０が設けられている。コントローラ６０は、本システムにおいて空調照明制御を行うものであり、ＣＰＵ等を有する周知のマイクロコンピュータを有して構成されている。
【００８１】
コントローラ６０の入力側には、各監視カメラ５１が接続されている。コントローラ６０には、各監視カメラ５１から各々の対象エリアＲ１〜Ｒ８の監視情報が逐次入力される。これにより、コントローラ６０は、店舗４０内に存在する顧客の位置情報を取得する。
【００８２】
コントローラ６０の入力側には、温度センサ６１が接続されている。コントローラ６０には、温度センサ６１から逐次検知結果が入力される。
【００８３】
コントローラ６０の出力側には、各グリル駆動部５４、各照明装置５６及び各棚用照明装置５８が接続されている。コントローラ６０は、監視カメラ５１から取得した顧客の位置情報に基づいて、各グリル駆動部５４、各照明装置５６及び各棚用照明装置５８に対し指令信号を出力する。
【００８４】
コントローラ６０の出力側には、出入口照明装置５９が接続されている。コントローラ６０は、温度センサ６１からの検知結果に基づいて、出入口照明装置５９に対する出入口照明制御を実施する。ここで、その出入口照明制御の概略について説明する。
【００８５】
まずコントローラ６０は、温度センサ６１からの検知結果に基づいて、出入口照明装置５９より照射する光の色温度を設定する。具体的には、温度センサ６１からの検知結果に基づいて、出入口４１周辺の温度と店舗４０内の空調設定温度との温度差ΔＴを算出し、その算出した温度差ΔＴに基づいて光の色温度を設定する。色温度の設定は、例えば、夏場に顧客が出入口４１を通じて店舗４０に出入りすることで出入口４１周辺が暑くなっている場合には、つまり上記温度差ΔＴが正の値になっている場合には、色温度を低く（換言すれば寒色系の色になるように）設定する一方、冬場において出入口４１周辺が寒くなっている場合には、つまり上記温度差ΔＴが負の値になっている場合には、色温度を高く（換言すれば暖色系の色になるように）設定するよう行う。
【００８６】
コントローラ６０は、その設定した色温度に応じた照明信号を出入口照明装置５９に出力する。これにより、出入口照明装置５９により設定された色温度の光が照射される。したがって、例えば夏場に店舗４０において出入口４１周辺が局所的に暑くなっている場合には同照明装置５９より寒色系の光が照射され、冬場に出入口４１周辺が局所的に寒くなっている場合には同照明装置５９より暖色系の色の光が照射される。
【００８７】
次に、コントローラ６０によって実行される空調照明制御処理について図７に基づいて説明する。なお、本処理は、所定の周期で繰り返し実行される。
【００８８】
まずステップＳ３１では、監視カメラ５１からの監視情報に基づいて店舗４０内における顧客の位置情報を取得する。この位置情報には、顧客がいずれの側の商品棚４８の方を向いているかの情報が含まれている。なお、顧客が店舗４０内にいない場合には位置情報を取得しない。
【００８９】
ステップＳ３２では、店舗４０内に顧客がいるか否かを判定する。この判定は、ステップＳ３１において位置情報を取得したか否かに基づいて行う。店舗４０内に顧客がいない場合には、ステップＳ３３に進み、通常空調処理を実行する。この通常空調処理では、各グリル駆動部５４に対して弱信号を出力する。これにより、各吹出グリル５３より風量「弱」の風が吹き出される。したがって、顧客がいない場合に省エネを図ることができる。
【００９０】
ステップＳ３４では、通常照明処理を実行する。この通常照明処理では、各照明装置５６に弱信号を出力する。これにより、店舗４０内の各照明装置５６により光量「小」の光が照射される。したがって、顧客がいない場合に省エネを図ることができる。
【００９１】
ステップＳ３５では、後述する商品棚照明処理（ステップＳ３８）を停止する。ここでは、各棚用照明装置５８に対する照明信号の出力を停止する。これにより、棚用照明装置５８による商品棚４８に対する光の照射が停止する。その後、本処理を終了する。
【００９２】
一方、先のステップＳ３２において店舗４０内に顧客がいる場合には、ステップＳ３６に進み、局所空調処理を実行する。この局所空調処理では、ステップＳ３１において取得した顧客の位置情報に基づいて、顧客が存在するエリアＲ１〜Ｒ８に対応するグリル駆動部５４に対して強信号を出力するとともに、その他のグリル駆動部５４に対して弱信号を出力する。これにより、顧客のいるエリアＲ１〜Ｒ８に設けられた吹出グリル５３より風量「強」の風が吹き出され、顧客のいないエリアＲ１〜Ｒ８に設けられた吹出グリル５３より風量「弱」の風が吹き出される。したがって、顧客の周辺だけを局所的に涼しくしたり暖かくしたりすることができる。
【００９３】
続くステップＳ３７では、局所照明処理を実行する。この局所照明処理では、ステップＳ３１において取得した顧客の位置情報に基づいて、顧客が存在するエリアＲ１〜Ｒ８に対応する照明装置５６に対して、強信号を出力するとともに、その他の照明装置５６に対して弱信号を出力する。これにより、顧客のいるエリアＲ１〜Ｒ８に設けられた照明装置５６より光量「大」の光が照射され、顧客のいないエリアＲ１〜Ｒ８に設けられた照明装置５６より光量「小」の光が照射される。したがって、この場合顧客の周辺だけを明るく照らすことができる。
【００９４】
ステップＳ３８では、商品棚照明処理を実行する。この処理では、ステップＳ３１において取得した顧客の位置情報に基づいて、棚用照明装置５８に照明信号を出力する。具体的には、顧客のいるエリアＲ１〜Ｒ８に設けられた棚用照明装置５８により顧客が向いている商品棚４８に対して光が照射される。これにより、商品棚４８に設けられた商品の視認性を高めることができるため、顧客に対して購入を促すことができる。その後、本処理を終了する。
【００９５】
以上、詳述した本実施形態の構成によれば、以下の優れた効果が得られる。
【００９６】
店舗４０内の各エリアＲ１〜Ｒ８にそれぞれ、照明装置５６を設けるとともに吹出グリル５３を設けた。また、吹出グリル５３から店舗４０内に吹き出される空調エアの風量を調整するためのグリル駆動部５４を設けた。そして、店舗４０内に設けられた監視カメラ５１からの監視結果に基づいて店舗４０内の人の位置情報を取得し、その取得した位置情報に基づいて、各照明装置５６及び各グリル駆動部５４を制御するようにした。具体的には、店舗４０において人のいるエリアＲ１〜Ｒ８に設けられた照明装置５６から光量「大」の光を照射するとともに、人のいるエリアＲ１〜Ｒ８に設けられた吹出グリル５３から風量「強」の風が吹き出すようにグリル駆動部５４を駆動した。これにより、顧客の周辺だけを局所的に明るくしたり、涼しく（暖かく）したりすることができるため、顧客の快適性を損なうことなく省エネを図ることができる。
【００９７】
監視カメラ５１からの監視結果に基づいて店舗４０内における人の位置情報を取得し、その取得した位置情報に基づいて各棚用照明装置５８を制御した。具体的には、人のいるエリアＲ１〜Ｒ８に設けられた棚用照明装置５８により人の向いている商品棚４８に対し光を照射するようにした。これにより、顧客の近くに置かれている商品の視認性を高めることができるため、顧客に商品の購入を促すことができる。また、カウンタ４３周辺に立つ店員にとっては棚用照明装置５８から照射される光により顧客のいる場所を把握し易いため、防犯性の向上を図ることもできる。
【００９８】
顧客は出入口４１を通じて店舗４０に出入りするため、店舗４０内において出入口４１周辺は外気温の影響を受け易く、それ故局所的に暑くなったり寒くなったりすることが想定される。その点に鑑みて、上記構成では、照射する光の色温度の調整が可能な出入口照明装置５９を出入口４１の周辺に設け、温度センサ６１により検知された出入口４１周辺の温度に基づいて、同照明装置５９より照射される光の色温度を調整するようにした。具体的には、出入口４１周辺の温度と店舗４０内の空調設定温度との温度差ΔＴに基づいて光の色温度を調整するようにした。これにより、例えば、夏場に出入口４１周辺が局所的に暑くなった場合でも、出入口照明装置５９より寒色系の色の光が照射されるため、涼しさを感じさせることができる。また、冬場に出入口４１周辺が局所的に寒くなった場合でも、出入口照明装置５９より暖色系の色の光が照射されるため、暖かさを感じさせることができる。したがって、出入口４１を通じて顧客が店舗４０に頻繁に出入りしても、出入口４１周辺の快適性を維持することができる。また、出入口４１周辺のみ空調エアの供給量（風量）を増大させる等しても快適性の維持を図ることは可能であるが、その場合エネルギの使用量が増大する。その点、上記構成では、使用エネルギの増大を抑制することができるため、省エネを図りつつ快適性の維持を図ることができる。
【００９９】
また、特に、本例のように店舗４０がコンビニである場合には、防犯上の理由等から出入口４１がひとつしかないことが想定される。その場合、顧客が出入口４１を出入りする頻度が高くなり、出入口４１周辺が局所的に暑くなったり寒くなったりし易いため、上記の効果はとりわけ大きい。
【０１００】
〔他の実施形態〕
本発明は上記各実施形態に限らず、例えば次のように実施されてもよい。
【０１０１】
（１）上記第１の実施形態では、リビング１３の温度と空調装置２１の設定温度との温度差ΔＴ１に基づいて、照明装置２２から照射される光の色温度を調整したが、これを変更して、リビング１３の温度のみに基づいて光の色温度を調整してもよい。具体的には、リビング１３の温度が高いほど色温度を高くするように調整するのが好ましい。そうすれば、リビング１３が暑い場合には寒色系の色の光が照射され、リビング１３が寒い場合には暖色系の色の光が照射されるため、上記第１の実施形態と同様、快適性の向上を図ることができる。
【０１０２】
（２）上記第１の実施形態では、リビング１３にいる居住者の人体表面温度と基準表面温度との温度差ΔＴ２に基づいて、照明装置２２から照射される光の色温度を調整したが、これを変更して、リビング１３にいる居住者の人体表面温度のみに基づいて光の色温度を調整してもよい。具体的には、居住者の人体表面温度が高いほど色温度を高くするように調整するのが好ましい。そうすれば、居住者の人体表面温度が高く居住者が暑さを感じている場合には寒色系の色の光が照射され、居住者の人体表面温度が低く居住者が寒さを感じている場合には暖色系の色の光が照射されるため、上記第１の実施形態と同様、快適性を高めることができる。
【０１０３】
（３）上記第１の実施形態では、サーモカメラ２４からの人体表面温度情報等に基づいて、照明装置２２により照射される光の色が暖色系又は寒色系の色となるように色温度を調整したが、これに代えて又は加えて、例えばリビング１３に人が存在することを検知する人検知センサを設け、人検知センサによりリビング１３内に人の存在が検知された場合に、上記色温度の調整を行ってもよい。この場合、例えば居住者がリビング１３に入った直後に照明装置２２により暖色系の色の光を照射することで、冬場にトイレ１６からリビング１３に戻ったばかりで寒さを感じている居住者に、暖色系の色の光によって暖かさを感じさせる等することができる。これにより、リビング１３に入室した直後でも快適性の向上を図ることができる。
【０１０４】
（４）上記第１の実施形態では、リビング１３の温度と空調装置２１の設定温度との温度差ΔＴ１に基づいて、空調装置２１が過渡運転をしているか否かを判定する構成としたが、これを変更して、空調装置２１が運転を開始してからの経過時間に基づいて空調装置２１が過渡運転をしているか否かを判定するようにしてもよい。例えば、空調装置２１の運転開始からの経過時間を計測するタイマを設け、そのタイマにより計測された経過時間が所定時間以内である場合に、空調装置２１が過渡運転をしていると判定をすることが考えられる。この場合においても、空調装置２１の運転開始から所定時間が経過するまでは、照明装置２２により暖色系又は寒色系の色の光が照射されるため、例えば帰宅した直後でも暑さや寒さを和らげることができ、快適性を得ることができる。
【０１０５】
また、空調装置２１の運転開始直後だけでなく空調装置２１の設定温度が変更された直後においても、上記温度差ΔＴ１が所定の範囲を超えることが考えられる。そのため、空調装置２１の設定温度を変更した後に、上記温度差ΔＴ１が所定の範囲内にない場合には、空調装置２１が過渡運転をしていると判定し、上記温度差ΔＴ１に基づく色温度の設定（ステップＳ１８）を行ってもよい。
【０１０６】
（５）上記第１の実施形態では、リビング１３にいる居住者の人体表面温度が基準表面温度の許容範囲内にある場合に、照明装置２２より照射される光の色が通常の蛍光色となるように色温度を設定する（ステップＳ２２）こととしたが、これを変更して、照明装置２２を消灯させてもよい。そうすれば、居住者が快適さを感じているにもかかわらず、照明装置２２から無駄に光が照射されることを回避できるため、省エネ効果を期待できる。
【０１０７】
（６）上記第１の実施形態では、リビング１３にいる人の人体表面温度に基づいて、照明装置２２により照射される光の色温度を調整するようにしたが、これに代えて又は加えて、リビング１３にいる人の位置情報に基づいて、光の色温度を調整してもよい。そうすれば、例えば、リビング１３にいる居住者が空調装置２１の正面位置にいる場合に、つまり空調装置２１からの風を直接受け寒さを感じている場合に、照明装置２２により照射される光の色を暖色系の色となるよう色温度を調整することで、居住者の寒さを和らげる等することができる。なお、リビング１３における人の位置情報を取得する手段は、サーモカメラ２４に限ることなく、監視カメラ等その他の手段であってもよい。
【０１０８】
（７）上記第１の実施形態では、建物内環境情報としてのリビング１３の温度と、人情報としての居住者の人体表面温度情報等とに基づいて、空調装置２１及び照明装置２２を動作制御する構成としたが、さらに屋外環境情報に基づいてそれら各装置２１，２２を動作制御してもよい。例えば、屋外の温度を検知する屋外温検知センサを設け、同センサの検知結果に基づいて空調装置２１や照明装置２２を動作制御してもよい。具体的には、操作部３２からの制御開始信号に基づいて、屋外温センサにより検知された屋外の温度が所定温度以上であるか否かを判定し、判定した結果屋外の温度が所定温度以上である場合に照明装置２２により照射される光の色が寒色系の色となるように色温度を設定し（ステップＳ１８又はＳ２１)、屋外の温度が所定温度よりも低い場合に上記色温度の設定を行わない(ステップＳ２２)ことが考えられる。そうすれば、夏場において屋外が暑い場合、つまり外出先から帰宅した居住者が暑さを感じている場合には、照明装置２２から寒色系の光を照射することで、帰宅直後においても涼しさを感じさせることができる。また、屋外が比較的涼しい場合、つまり帰宅した居住者が暑さを感じていない場合には、通常の室内照明行われるため、居住者が快適さを感じているにもかかわらず寒色系の光が照射されることで、かえって居住者に不快感を与えるのを回避することができる。なお、屋外環境情報は、インターネットを介して取得する構成であってもよい。
【０１０９】
また、居住者が外出しようとしていることを判定する外出判定手段と、同判定手段により外出しようとしていることが判定された場合に屋外環境情報に基づいてアドバイスを作成し該アドバイスを当該居住者に提供するアドバイス提供手段とを設けてもよい。例えば、玄関１１にスピーカ等からなる報知装置を設け、居住者の外出時に報知装置により居住者に音声によりアドバイスをすることが考えられる。具体的には、屋外環境情報としての天気情報を取得し、その取得した天気情報に基づいてアドバイスを作成及び提供することが考えられる。例えば、本日の天気が雨天である場合には、「傘を忘れずにお持ちください」等傘の携帯を促す旨を報知装置によりアナウンスしたり、寒くなる場合には「暖かい格好をして下さい」等手袋やマフラー等の着用を促す旨をアナウンスしたりする。これにより、居住者に天候に応じた注意喚起をすることができる。なお、外出判定手段としては、例えば玄関ドアの屋内側（玄関１１側）の取っ手に手を触れたことを検知する接触検知センサを設け、同センサによる接触検知に基づいて居住者が外出しようとしていることを判定することが挙げられる。
【０１１０】
（８）上記第１の実施形態では、操作部３２の開始ボタンの操作に基づいて空調照明制御処理（図３）を開始させたが、これを変更して、居住者が帰宅したことを判定する帰宅判定手段を設け、同判定手段により居住者が帰宅したことを判定した場合に同処理を開始させるようにしてもよい。ここで、帰宅判定手段としては、例えば玄関１１に設けられた玄関ドアが開かれたことを検知するドアセンサと、玄関１１における人の存在を検知する人検知センサとを設け、ドアセンサによる検知があった後人検知センサによる検知があった場合に、居住者が玄関ドアを開いて玄関１１に入ったとみなし、居住者が帰宅したと判定することが考えられる。この場合、居住者の帰宅に合わせて空調装置２１及び照明装置２２の動作が自動で開始されるため、利便性を高めることができる。
【０１１１】
また、この場合、リビング１３に加え玄関１１にも照明装置２２を設置し、居住者が帰宅したと判定された場合に、リビング１３の温度に基づいて、玄関１１の照明装置２２より照射する光の色温度を設定するとともに、その設定した色温度の光を同照明装置２２より照射するようにしてもよい。この場合、居住者が帰宅して玄関１１に入ると、玄関１１の照明装置２２から所定の色温度の光が照射される。そのため、居住者が帰宅した直後から居住者の暑さや寒さを和らげることができるため、快適性の向上を図ることができる。
【０１１２】
さらに、この場合、玄関１１に、空気を噴射することで居住者の衣服に付いた花粉を除去するためのエアブロアを設け、居住者が帰宅したと判定した場合にエアブロアを動作させてもよい。そうすれば、衣服に花粉をつけたままリビング１３等に入ることで、例えば居住者の花粉症の症状を悪化させる等の不都合を抑制することができる。
【０１１３】
（９）上記第１の実施形態において、リビング１３と出入口を介して隣接された廊下１２の温度を検知する廊下温センサを設け、室温センサ２３及び廊下温センサの各検知結果に基づいてリビング１３の温度と廊下１２の温度との温度差を算出するとともに、その算出した温度差が所定範囲内となるように空調装置２１を動作制御してもよい。そうすれば、リビング１３と廊下１２との温度差が著しく大きくなるのを回避できるため、廊下１２とリビング１３との間を出入りする際に居住者がヒートショックを起こすのを防止することができる。
【０１１４】
（１０）上記第１の実施形態において、複数の各居住者を判別する判別手段を設け、同判別手段により判別された居住者に応じて空調装置２１及び照明装置２２を動作制御するようにしてもよい。判別手段としては、例えば操作部３２に各居住者が有する識別情報としてのＩＤコードを入力する入力ボタンを設け、同ボタンの操作により入力されたＩＤコードに基づいて各居住者を判別することが考えられる。この場合、例えば暑がりの居住者に対しては空調装置２１の設定温度を下げたり、寒がりの居住者に対しては照明装置２２の色温度を低くしたりする等、各居住者の感覚に応じた制御が行えるため、より一層快適性の向上を図ることができる。
【０１１５】
また、この場合、各居住者の生体情報をあらかじめ記憶する記憶手段を設け、その記憶手段に記憶された各居住者の生体情報に基づいて各々の居住者に応じた動作制御をするのがよい。具体的には、生体情報として例えば各居住者の標準体温や、寒がり・暑がり等の情報を操作部３２の操作に基づいて予め記憶手段に記憶しておく。そして、判別手段により判別された居住者の生体情報を記憶手段より読み取って、その読み取った生体情報に基づいて各装置２１，２２の動作制御を行う。これにより、各居住者ごとの感覚に応じた制御を具体的に実現することができる。
【０１１６】
（１１）上記第１の実施形態では、生体センサ２５からの検知結果に基づいて居住者が風邪をひいていることを判定した場合に、空調装置２１から吹き出す風が居住者に直接当たらないよう風向き調整を行ったが、かかる制御は風邪をひいている場合に限らず、その他の体調不良時に行ってもよい。例えば、心拍数が高い場合に、かかる制御を行うようにしてもよい。具体的には、心拍数を計測する心拍計をリビング１３のドアの取っ手等に設け、心拍計により計測された心拍数が所定の数値よりも高い場合にかかる制御を行うようにしてもよい。そうすれば、心拍数が高く体調が悪い場合には空調装置２１からの風が直接当たるのを回避できるため、更なる体調悪化を招くのを抑制できる。
【０１１７】
また、居住者が風邪をひいている等体調が悪いことを判定した場合に、空調装置２１による運転負荷を通常時よりも小さくするように制御してもよい。これにより、リビング１３の温度をゆっくりと設定温度に近づけることができるため、急激な温度変化によりさらなる体調の悪化を招くのを抑制することができる。
【０１１８】
（１２）上記第１の実施形態では、居住者が風邪をひいている場合に、空調装置２１から吹き出す風が居住者に直接当たらないよう風向き調整を行ったが、風向き調整の態様は必ずしもこれに限定されない。例えば、居住者が風邪をひいていない場合に、空調装置２１から吹き出す風が居住者に向くように風向き調整を行ってもよい。そうすれば、居住者が暑かったり寒かったりする場合でも、暑さ又は寒さを速やかに和らげることができる。また、サーモカメラ２４からの人体表面温度情報に基づいて、居住者の体における比較的表面温度の低い（又は高い）部分を判定し、その判定した部分に対して空調装置２１により優先的に風を送るようにしてもよい。そうすれば、居住者の体の冷えた部分を速やかに暖めたり、火照った部分を速やかに冷やしたりすることができる。
【０１１９】
（１３）上記第２の実施形態における店舗４０の屋根に店舗４０の内外を連通する窓部を設けるとともにその窓部に窓ガラスを配設し、窓部を通じて太陽光を店舗４０に取り込むようにしてもよい。この場合、昼間は窓部を通じて射し込む太陽光により店舗内を明るくすることができるため、照明装置５６の使用頻度を低減することができる。これにより、省エネを図ることができる。また、店舗４０に、店舗４０内の照度（建物内環境情報に相当）を検知する照度センサ（建物内環境情報取得手段に相当）を設け、その照度センサの検知結果に基づいて照明装置５６の光量を調整してもよい。例えば、照度センサにより検知された照度が小さいほど、照明装置５６から照射される光の量を大きくするように調整することが考えられる。この場合、窓部を通じて店舗４０に射し込む太陽光の量が多い場合には、照明装置５６から照射される光の量が少なくなる一方、店舗４０に射し込む太陽光の量が少ない場合には照明装置５６から照射される光の量が多くなる。そのため、店舗４０内の快適性を維持しつつ省エネを図ることができる。
【０１２０】
（１４）上記第２の実施形態における店舗４０に代えて、図８に示す店舗７０に空調照明システムを設けてもよい。店舗７０には、店員が顧客と接客をするためのカウンタ７１が設けられている。店舗７０には、カウンタ７１と平行に並べられた複数の商品棚７２が設けられており、各商品棚７２の間等商品棚７２が設けられていないスペースは店舗通路７３となっている。店舗７０における天井部には、カウンタ７１と平行に延びる鏡板７４がカウンタ７１と直交する方向に複数並べられている。これら各鏡板７４は上記方向に沿って山谷状に並べられており、そのうち店舗通路７３上に設けられた鏡板７４ａがカウンタ７１から離間する側に向かって下方傾斜する向きで設けられている。この場合、カウンタ７１に立つ店員からは各商品棚７２の間のスペースを鏡板７４ａを介して視認することができる。そのため、カウンタ７１から死角となる各商品棚７２の間のスペースに立つ顧客を監視することができるため、防犯性の向上を図ることができる。
【０１２１】
（１５）上記第２の実施形態では、照明装置５６により店舗４０内の照明を行い、棚用照明装置５８により商品棚４８に対する光の照射を行ったが、これら各照明装置５６，５８のいずれかにより店舗４０内の照明と商品棚４８に対する光の照射との両方を行ってもよい。そうすれば、照明装置５６，５８の設置個数を削減できるため設置コストの低減を図ることができる。また、かかる場合に、店舗４０内の照明と商品棚４８に対する光の照射とを顧客の生体情報に基づいて切り替えられるようにしてもよい。例えば、顧客が所有するカード等にあらかじめ記憶された識別情報に基づいて、顧客の年齢を判別し、その判別の結果顧客が所定の年齢以下である場合には、商品棚４８に対する光照射を優先して実施することが考えられる。そうすれば、学生等に対して商品の購買意欲を促すことができる。
【符号の説明】
【０１２２】
１０…建物としての住宅、２１…空調装置、２２…照明装置、２３…建物内環境情報取得手段及び建物内温検知手段としての室温センサ、２４…人情報取得手段及び体温情報取得手段としてのサーモカメラ、２５…人情報取得手段としての生体センサ、３１…制御手段及び判定手段としてのコントローラ、４０…建物としての店舗、５６…照明装置、５８…棚用照射手段としての棚用照明装置、５９…照明装置としての出入口照明装置、６１…建物内環境情報取得手段及び建物内温検知手段としての温度センサ。
【図１】
2011146137.tif 000003
【図２】
2011146137.tif 000004
【図３】
2011146137.tif 000005
【図４】
2011146137.tif 000006
【図５】
2011146137.tif 000007
【図６】
2011146137.tif 000008
【図７】
2011146137.tif 000009
【図８】
2011146137.tif 000010